(57)【特許請求の範囲】
【請求項１】
ショーケース本体の前面または背面に設けられた扉と、ショーケース本体の下部に設けられた機械室と、機械室内に配置された凝縮器と、凝縮器に空気を流通させる凝縮器用ファンと、凝縮器の空気流入側に配置されたフィルタと、機械室内の前面側または背面側に配置されたドレン排水用の排水パイプとを備え、排水パイプを扉に結露したドレン水を排出するように形成したショーケースにおいて、
前記機械室内の前面及び背面の一方に空気吸入口を設けるとともに、その他方には空気排出口を設け、
凝縮器を機械室内の前面側または背面側に配置し、排水パイプを凝縮器とフィルタとの間に配置した
ことを特徴とするショーケース。
【発明の詳細な説明】
【０００１】
【発明の属する技術分野】
本発明は、各種飲食物の小売店または飲食店等の店内に設置されるショーケースに関するものである。
【０００２】
【従来の技術】
従来、この種のショーケースとしては、例えば特開２０００−１３９６３４公報及び特開２０００−２５３９７０公報に記載されているように、縦長に形成されたショーケース本体と、ショーケース本体内に設けられた商品収納部と、商品収納部の両側面をそれぞれ覆う透明ガラス製の一対の側板と、商品収納部の前面及び背面をそれぞれ開閉する透明ガラス製の扉と、ショーケース本体の下部に設けられた機械室とを備え、機械室内に配置した冷凍機器によって商品収納部内を冷却するようにしたものが知られている。
【０００３】
また、前記各扉の下方には、扉に結露したドレン水を受容する排水レールが設けられており、排水レールに滴下したドレン水は排水レールのほぼ中央に接続された排水パイプを介して機械室下方のドレンタンクに収容されるようになっている。
【０００４】
前記機械室内には冷凍機器としての圧縮機や凝縮器等が配置され、凝縮器の一端側には凝縮器用ファンが設けられている。この場合、機械室内の前端側及び背面側にはそれぞれドレン水の排水パイプが配置されるため、ファン用の空気吸入口及び空気排出口は機械室の両側面にそれぞれ設けられている。即ち、凝縮器は機械室内の一側面側に空気吸入口に臨むようにして配置され、空気吸入口と凝縮器との間にはフィルタが設けられている。
【０００５】
【発明が解決しようとする課題】
ところで、前記ショーケースを設置した店舗においては、複数台のショーケースを互いに幅方向に並べて配置する場合があるが、前述したようにショーケースの機械室の両側面には空気吸入口及び排出口が設けられているため、機械室の吸気及び排気が妨げられないように各ショーケース同士を互いに十分な間隔をおいて配置する必要がある。このため、各ショーケースを互いに幅方向に近接して設置することができず、その分だけショーケースの設置スペースを広く確保しなければならず、場合によっては設置台数が制限されるという問題点があった。
【０００６】
本発明は前記問題点に鑑みてなされたものであり、その目的とするところは、機械室の吸気及び排気を妨げることなく幅方向に近接して設置することのできるショーケースを提供することにある。
【０００７】
【課題を解決するための手段】
本発明は前記目的を達成するために、ショーケース本体の前面または背面に設けられた扉と、ショーケース本体の下部に設けられた機械室と、機械室内に配置された凝縮器と、凝縮器に空気を流通させる凝縮器用ファンと、凝縮器の空気流入側に配置されたフィルタと、機械室内の前面側または背面側に配置されたドレン排水用の排水パイプとを備え、排水パイプを扉に結露したドレン水を排出するように形成したショーケースにおいて、前記機械室内の前面及び背面の一方に空気吸入口を設けるとともに、その他方には空気排出口を設け、凝縮器を機械室内の前面側または背面側に配置し、排水パイプを凝縮器とフィルタとの間に配置した。
【０００８】
これにより、機械室内の前面側及び背面側から空気が吸入及び排出されることから、ショーケース同士を互いに幅方向に近接して設置しても機械室の吸気及び排気が妨げられることがない。
【０００９】
【発明の実施の形態】
図１乃至図４は本発明の一実施形態を示すもので、図１はショーケースの全体斜視図、図２はその概略正面断面図、図３はその下部側面断面図、図４は機械室の平面図である。
【００１０】
このショーケースは、縦長に形成されたショーケース本体１と、ショーケース本体１内に形成された商品収納部２と、ショーケース本体１の下部に形成された機械室３と、商品収納部２内の上方に設けられた複数の加熱用商品棚４と、商品収納部２内の下方に設けられた複数の冷却用商品棚５と、商品収納部２内を任意の加熱用商品棚４の位置で仕切る仕切板６とを備え、各商品棚４，５はそれぞれ前方に向かって下り傾斜をなすように設けられている。
【００１１】
ショーケース本体１は商品収納部２の前面及び背面をそれぞれ開閉する透明ガラス製の扉１ａを有し、商品収納部２の両側面は同じく透明ガラス製の側板１ｂによってそれぞれ覆われている。また、商品収納部２の周囲にはそれぞれ柱状部材をなす計４本の化粧枠１ｃが立設され、各化粧枠１ｃの上端には商品収納部２の上面を覆う天板１ｄが取付けられている。
【００１２】
商品収納部２は底面板２ａによって機械室３側と仕切られており、仕切板６の上方に温蔵室２ｂを形成し、その下方には冷蔵室２ｃを形成している。
【００１３】
機械室３は断熱箱３ａによって囲まれた通風路３ｂを有し、通風路３ｂの一端側及び他端側はそれぞれ商品収納部２内に連通している。通風路３ｂ内には蒸発器３ｃ及び送風機３ｄが設けられ、通風路３ｂの一端側から吸入した商品収納部２の空気を蒸発器３ｃによって冷却し、通風路３ｂの他端側から商品収納部２側へ吐出するようになっている。
【００１４】
加熱用商品棚４は、商品を載置する棚板を有し、商品収納部２内の上下方向任意の位置に取付けられるようになっている。また、棚板の下面には、棚板を加熱する加熱プレート（図示せず）が取付けられている。
【００１５】
冷却用商品棚５は、商品を載置する棚板からなり、加熱用商品棚４と同様、商品収納部２内の上下方向任意の位置に取付けられるようになっている。
【００１６】
仕切板６は各加熱用商品棚４の下面に対して着脱自在に構成され、その幅方向両端側には商品収納部２の内面との隙間を開閉する断熱性の開閉板６ａが設けられている。
【００１７】
また、前記機械室３内には蒸発器３ｃに接続された冷凍回路の圧縮機４及び凝縮器５が収容され、凝縮器５は一端側が機械室３の背面側に臨むようにして配置されている。また、凝縮器５の他端側には凝縮器用ファン６が設けられ、ファン６によって凝縮器５の一端側から他端側に空気を流通させることにより、凝縮器５を冷却するようになっている。即ち、機械室３の背面には空気吸入口３ｅが設けられ、その前面には空気排出口３ｆが設けられている。また、凝縮器５の一端側（空気流入側）には板状のフィルタ７が設けられ、フィルタ７は凝縮器５の上面に取付けられた保持板７ａによって着脱自在に保持されている。
【００１８】
各扉１ａの下方には、扉１ａに結露したドレン水を受容する排水レール８が設けられており、各排水レール８に滴下したドレン水は排水レール８のほぼ中央に接続された排水パイプ８ａを介して機械室３の下方に配置されたドレンタンク９に収容されるようになっている。各排水パイプ８ａは機械室３内に配置され、その下端側は機械室３の底板３ｇを貫通してドレンタンク９の上方まで延びている。この場合、背面側の排水パイプ８ａは機械室３内の上下方向に延び、凝縮器５とフィルタ７との間に配置されている。また、蒸発器３ｃから生じた通風路３ｂ内のドレン水は、断熱箱３ａの底面中央に接続された排水パイプ３ｈを介してドレンタンク９に収容されるようになっている。
【００１９】
以上のように構成されたショーケースにおいては、図２に示すように下方の加熱用商品棚４の下面に取付けられた仕切板６によって商品収納部２内が上下方向に仕切られ、これにより仕切板６の上方に温蔵室２ｂが形成され、その下方に冷蔵室２ｃが形成される。即ち、温蔵室２ｂ内は各加熱用商品棚４の加熱プレート４ａによって加熱され、冷蔵室２ｃ内は機械室３の蒸発器３ｃによって冷却される。その際、温蔵室２ｂ内の空気は、図中破線矢印で示すように温蔵室２ｂ内の加熱用商品棚４と商品収納部２の内面との隙間を流通し、冷蔵室２ｃ内の空気は、図中実線矢印で示すように冷蔵室２ｃ内の各商品棚４，５と商品収納部２の内面との隙間を流通する。
【００２０】
また、機械室３内のファン６が作動することにより、機械室３の背面側から外部の空気が空気吸入口３ｅを介して機械室３内に吸入され、凝縮器５を流通した後、機械室３の前面側から空気排出口３ｆを介して外部に排出される。
【００２１】
このように、本実施形態のショーケースによれば、背面側の排水パイプ８ａを凝縮器５とフィルタ７との間に配置することにより、凝縮器５を機械室３内の背面側に配置し、機械室３の背面には空気吸入口３ｅを設け、その前面には空気排出口３ｆを設けるようにしたので、幅方向に近接して設置しても機械室３の吸気及び排気が妨げられることがなく、複数台のショーケースを並設する場合にショーケースの占有スペースを少なくすることができる。
【００２２】
また、凝縮器５とフィルタ７との間に排水パイプ８ａを配置することにより、機械室３の背面側からフィルタ７の取付けまたは取外しを行う場合に、排水パイプ８ａがこれらの作業の妨げとなることがなく、作業性を損なうことがないという利点もある。
【００２３】
更に、凝縮器５の熱で排水パイプ８ａ内に付着した水分を蒸発させることができるので、ドレン水の処理においても効果的である。
【００２４】
尚、前記実施形態では、機械室３の背面に空気吸入口３ｅを設け、前面に空気排出口３ｆを設けるようにしたが、機械室３の前面側から空気を吸入し、背面側から排出するようにしてもよい。
【００２５】
【発明の効果】
以上説明したように、本発明のショーケースによれば、幅方向に近接して設置しても機械室の吸気及び排気が妨げられることがないので、複数台のショーケースを並設する場合にショーケースの占有スペースを少なくすることができ、ショーケースの増設や設置スペースを縮小したい場合に極めて有利である。また、機械室のフィルタの取付けまたは取外しを行う場合に、排水パイプがこれらの作業の妨げとなることがないので、作業性を損なうことがないという利点もある。更に、凝縮器の熱で排水パイプ内に付着した水分を蒸発させることができるので、ドレン水の処理においても効果的である。
【図面の簡単な説明】
【図１】本発明の一実施形態を示すショーケースの全体斜視図
【図２】ショーケースの概略正面断面図
【図３】ショーケースの下部側面断面図
【図４】ショーケースの機械室の平面図
【符号の説明】
１…ショーケース本体、３…機械室、３ｅ…空気吸入口、３ｆ…空気排出口、５…凝縮器、６…凝縮器用ファン、７…フィルタ、８ａ…排水パイプ。
【図１】
0003735306.tif 000002
【図２】
0003735306.tif 000003
【図３】
0003735306.tif 000004
【図４】
0003735306.tif 000005